(57)【要約】【課題】先端部が切断された不使用電線により使用電線が損傷を受けず、電気絶縁不良のないコネクタ付多心ケーブルを提供する。【解決手段】複数本の電線１２が収容された多心ケーブル１１の端末部分のケーブル外被１４を除去して、コネクタハウジング１６ａ内に突き出る不使用電線１２ｂを切断し、使用電線１２ａをコネクタ端子１７に接続したコネクタ付多心ケーブルである。ケーブル外被１４から露出された不使用電線１２ｂの端部は、絶縁部材１８により電気絶縁を施すことが可能な長さでコネクタハウジング１６ａ内に突き出るように切断され、コネクタハウジング内に突き出る不使用電線１２ｂの先端部分が、使用電線１２ａに直接接触しないように絶縁部材により電気的に絶縁される。【選択図】図１
2011165586.tif 000002
【特許請求の範囲】
【請求項１】
複数本の電線が収容された多心ケーブルの端末部分のケーブル外被を除去して、コネクタハウジング内に突き出る不使用電線を切断し、使用電線をコネクタ端子に接続したコネクタ付多心ケーブルであって、
前記ケーブル外被から露出された前記不使用電線の端部は、絶縁部材により電気絶縁を施すことが可能な長さでコネクタハウジング内に突き出るように切断され、前記コネクタハウジング内に突き出る不使用電線の先端部分が、前記使用電線に直接接触しないように絶縁部材により電気的に絶縁されていることを特徴とするコネクタ付多心ケーブル。
【請求項２】
複数本の前記使用電線は、前記ケーブル外被の除去際側の所定領域をテープ状の絶縁部材により被覆して束ねられ、前記不使用電線は、前記使用電線を束ねた絶縁部材の外側に添わせてテープ状の絶縁部材により、前記使用電線と一体的に束ねられていることを特徴とする請求項１に記載のコネクタ付多心ケーブル。
【請求項３】
前記請求項１または２に記載のコネクタ付多心ケーブルの製造方法であって、不使用電線の端部は、絶縁部材により電気絶縁を施すことが可能な長さでコネクタハウジング内に突き出るように切断した後、前記コネクタハウジング内に突き出る前記不使用電線の先端部分が前記使用電線の表面に直接接触しないように絶縁部材を介在させて前記コネクタハウジング内に収容することを特徴とするコネクタ付多心ケーブルの製造方法。
【発明の詳細な説明】
【技術分野】
【０００１】
本発明は、複数本の絶縁電線または同軸電線をケーブル外被で覆った多心ケーブルにコネクタを取付けてなるコネクタ付多心ケーブルとその製造方法に関する。
【背景技術】
【０００２】
コンピュータを用いた情報機器や計測機器で使用される多心ケーブルは、例えば、特許文献１に開示されるように、ケーブル外径を細径化するためにケーブル外被内に収容される信号線の絶縁体に発泡絶縁体を用いたり、伝送信号の高速化に対しては同軸電線を用いたりしている。また、コネクタの取付には、多心ケーブルの端末部に環状の押え具を取付け、多心ケーブルがコネクタから抜けるのを防止している。
【先行技術文献】
【特許文献】
【０００３】
【特許文献１】特開２００３−１４２２００号公報
【発明の概要】
【発明が解決しようとする課題】
【０００４】
図３は、従来のコネクタ付多心ケーブルの模式的に示したもので、多心ケーブル１の端末部にコネクタ６を接続固定した例である。多心ケーブル１は、複数本の絶縁電線または同軸電線からなる信号線２を、例えば、シールド導体３で囲い、その外側を押出し成型によるケーブル外被４で覆って構成される。コネクタ６との接続のために、ケーブル外被４が所定の長さ除去されて内部の信号線２が露出される。シールド導体３は、ケーブル外被４の除去際４ａで折り返し束ねられる。そして、ケーブル外被４の除去際４ａの近傍には、環状の押え具５がシールド導体３をクランプして固定される。押え具５は、コネクタハウジング６ａのケーブル導入部６ｂにより保持され、ケーブルの抜けを防止する。
【０００５】
上記の多心ケーブル１は、通常、所定心数の信号線２を有している汎用の多心ケーブルが用いられる。しかし、その心数は、例えば、９本、１３本、２２本というように飛び飛びで、コネクタのコネクタ端子数と一致しない場合がある。このような場合は、コネクタ端子数より多い心数の汎用の多心ケーブルを用い、使用しない信号線は不使用電線２ｂとしてケーブル外被４の除去際４ａの近傍で切断し、使用電線２ａのみがコネクタ端子７に接続される。
【０００６】
この場合、切断された不使用電線２ｂは、コネクタ６の取付け中や配線作業中にケーブル外被４内で動いたりして、その不使用線の先端から露出する導体が使用電線２ａに接触して、使用電線２ａの絶縁体を傷つけ電気絶縁特性を悪化させる恐れがある。また、組立作業中は問題なくても、信号線の絶縁体と内部の中央導体は熱膨張係数が違うため、使用するうちに中央導体が絶縁体から突き出て、使用電線２ａの絶縁体を傷つけ電気絶縁不良を引き起こすことがある。
【０００７】
本発明は、上述した実情に鑑みてなされたもので、先端部が切断された不使用電線により使用電線が損傷を受けず、電気絶縁不良のないコネクタ付多心ケーブルの提供を目的とする。
【課題を解決するための手段】
【０００８】
本発明によるコネクタ付多心ケーブルは、複数本の電線が収容された多心ケーブルの端末部分のケーブル外被を除去して、コネクタハウジング内に突き出る不使用電線を切断し、使用電線をコネクタ端子に接続したコネクタ付多心ケーブルである。ケーブル外被から露出された不使用電線の端部は、絶縁部材により電気絶縁を施すことが可能な長さでコネクタハウジング内に突き出るように切断され、コネクタハウジング内に突き出る不使用電線の先端部分が、使用電線に直接接触しないように絶縁部材により電気的に絶縁される。
なお、複数本の使用電線は、ケーブル外被の除去際側の所定領域をテープ状の絶縁部材により被覆して束ねられ、不使用電線は、使用電線を束ねた絶縁部材の外側に添わせてテープ状の絶縁部材により使用電線と一体的に束ねられるようにしてもよい。
【０００９】
上記のコネクタ付多心ケーブルは、不使用電線の端部は、絶縁部材により電気絶縁を施すことが可能な長さでコネクタハウジング内に突き出るように切断した後、コネクタハウジング内に突き出る不使用電線の先端部分が使用電線の表面に直接接触しないように絶縁部材を介在させてコネクタハウジング内に収容するようにして製造される。
【発明の効果】
【００１０】
本発明によるコネクタ付多心ケーブルの構成によれば、不使用電線と使用電線の間に絶縁部材を配することが可能となり、不使用電線の先端部分が使用電線の表面に直接接触しないようにすることができる。この結果、使用電線は不使用電線の先端部により損傷を受けることがなくなり、使用電線に電気絶縁不良が生じるのを防止することができる。
【図面の簡単な説明】
【００１１】
【図１】本発明の実施の形態を説明する図である。
【図２】本発明の他の実施の形態を説明する図である。
【図３】従来技術の問題点を説明する図である。
【発明を実施するための形態】
【００１２】
図１により本発明の実施の形態を説明する。図１（Ａ）はコネクタ付多心ケーブルを模式的に示した図、図１（Ｂ）は多心ケーブルの端末部分の拡大図である。図において、１１は多心ケーブル、１２は信号線、１２ａは使用電線、１２ｂは不使用電線、１３はシールド導体、１４はケーブル外被、１４ａは除去際、１５はクランプ部材、１６はコネクタ、１６ａはコネクタハウジング、１６ｂはケーブル導入部、１７はコネクタ端子、１８はチューブ状の絶縁部材を示す。
【００１３】
本発明においては、例えば、多心ケーブル１１に接続されるコネクタ１６は、コネクタ端子１７の数が多心ケーブル１１の心数より少なく、多心ケーブルの信号線に不使用電線が存在しているコネクタ付の多心ケーブルを対象としている。したがって、多心ケーブルの信号線の心数とコネクタ端子数とが同数で、全ての信号線がコネクタ端子に接続され、不使用電線が存在していないものには適用されない。しかし、多心ケーブルの信号線の心数とコネクタ端子数とが同数であっても、意図的に信号線を不使用電線としてコネクタ端子に接続しない場合は、本発明の対象に含めることができる。
【００１４】
多心ケーブル１１は、例えば、複数本の信号線１２を束状にし、その外側をシールド導体１３でシールドし、さらにその外周をケーブル外被１４で覆って構成される。信号線１２は、絶縁電線または同軸電線からなる電線で、撚り線または単線の中心導体をポリエチレン樹脂やフッ素樹脂等の絶縁体で被覆したものが用いられる。また、ケーブル外被１４は、ポリエチレン、難燃ポリエチレンまたは塩化ビニル等の絶縁樹脂の押出し成型により形成されている。
【００１５】
多心ケーブル１１は、その端末部分にコネクタ１６に接続するために、ケーブル外被１４が所定長さ除去され、内部の信号線１２が露出される。シールド導体１３やその他にヤーン等の介在がある場合は、ケーブル外被１４の除去際１４ａでケーブル外被の表面に折り返され、クランプ部材１５により固定される。クランプ部材１５は、例えば、シールド導体１３の接地を兼ねた導電性の金属で形成され、ケーブル外被１４の除去際１４ａの近傍でケーブルに対して移動しない程度に締付けて固定される。クランプ部材１５は、コネクタハウジング１６ａのケーブル導入部１６ｂで保持され、多心ケーブル１１とコネクタ１６とが連結固定される。
【００１６】
コネクタ１６は、図１（Ａ）に示すように、複数のコネクタ端子１７が配列されていて、ケーブル外被１４の除去により露出された複数本の信号線１２のうち、所定数は使用電線１２ａとしてコネクタ端子１７と接続されてコネクタハウジング１６ａ内に収容される。一方、コネクタ端子１７と接続されない信号線１２は不使用電線１２ｂとされ、使用電線１２ａとの間に絶縁部材を介在させることが可能な長さでコネクタハウジング１６ａ内に突き出る（例えば、５ｍｍ〜７ｍｍ）ように切断される。
【００１７】
次いで、図１（Ｂ）に示すように、コネクタハウジング内に突き出る不使用電線１２ｂの突き出し部分には、その先端部を覆うように、チューブ状の絶縁部材１８が被せられる。このチューブ状の絶縁部材１８は、不使用電線１２ｂの先端部分を被って外れないように取付けられ、不使用電線１２ｂに１本ずつ被せてもよいが、複数本をまとめて被せてもよい。また、チューブ状の絶縁部材１８の代わりに、不使用電線１２ｂの先端部分を被うようにテープ状の絶縁部材を巻付けてもよい。
【００１８】
上記のチューブ状の絶縁部材１８としては、熱収縮性の絶縁チューブを用いて不使用電線１２ｂを覆うように熱収縮で固定したり、非収縮性の絶縁チューブを接着剤で固定するようにしてもよい。なお、不使用電線１２ｂの突き出し長さが短いと（例えば、５ｍｍ未満）、チューブ状の絶縁部材１８が外れやすく、コネクタハウジング１６ａの形状にもよるが、あまり長すぎるとコネクタハウジングの内壁に突き当たるなどして、不良発生の危険がある。
【００１９】
上記のように、不使用電線１２ｂをケーブル外被１４の除去際１４ａの近くで切断せず、コネクタハウジング１６ａ内で、使用電線１２ａとの間に絶縁部材を介在させて電気的に絶縁することが可能な長さで突き出るように切断する。そして、このコネクタハウジング１６ａ内に突き出される部分に、図１のようにチューブ状の絶縁部材１８を被せて不使用電線１２ｂの先端が使用電線１２ａに直接接触しないようにすることにより、電気絶縁不良の発生を防止することができる。
【００２０】
図２は他の実施の形態を説明する図である。図２（Ａ）はコネクタ付多心ケーブルを模式的に示した図、図２（Ｂ）、（Ｃ）は多心ケーブルの端末部分の絶縁方法を示す図である。図において、１２ａ’は使用電線、１２ｂ’は不使用電線、１６’はコネクタ、１６ａ’はコネクタハウジング、１６ｂ’はケーブル導入部、１９ａ，１９ｂはテープ状の絶縁部材を示す。その他の符号は、図１で用いたのと同じ符号を用いることで説明を省略する。
【００２１】
本例は、多心ケーブルの軸方向とコネクタの接続方向が直交するような場合に適しているが、図１の多心ケーブルの軸方向とコネクタの接続方向が同方向な場合にも適用することができる。多心ケーブル１１は、図１の例と同様に、その端末部分にコネクタ１６’に接続するために、ケーブル外被１４が所定長さ除去され、内部の信号線１２が露出される。シールド導体１３やその他にヤーン等の介在がある場合は、ケーブル外被１４の除去際１４ａでケーブル外被の表面に折り返され、クランプ部材１５により固定される。クランプ部材１５は、ケーブル外被１４の除去際１４ａの近傍でケーブルに対して移動しない程度に締付けて固定される。クランプ部材１５は、コネクタハウジング１６ａ’のケーブル導入部１６ｂ’で保持され、多心ケーブル１１とコネクタ１６’とが連結固定される。
【００２２】
コネクタ１６’は、図２（Ａ）に示すように、複数のコネクタ端子１７が配列されていて、ケーブル外被１４の除去により露出された複数本の信号線１２のうち、所定数は使用電線１２ａ’としてコネクタ端子１７と接続されてコネクタハウジング１６ａ’内に収容される。一方、コネクタ端子１７と接続されない信号線１２は不使用電線１２ｂ’とされ、使用電線１２ａ’との間に絶縁部材を介在させることが可能な長さでコネクタハウジング１６ａ’内に突き出るように（図１の例よりは長く、１０ｍｍ程度）切断される。なお、コネクタ外被から露出された信号線１２は、コネクタハウジング１６ａ’内で、直交するように曲げられるため、図１の例と比べると、ケーブル外被１４の除去際１４ａからコネクタ端子１７までの距離が多少長くなる。
【００２３】
次いで、図２（Ｂ）に示すように、複数本の使用電線１２ａ’は不使用電線１２ｂ’から分離され、この分離された複数本の使用電線１２ａ’は、ケーブル外被１４の除去際１４ａ側の所定領域にテープ状の絶縁部材１９ａを巻付けることによる束ねられる。なお、使用電線１２ａ’をコネクタ端子１７に接続する前に、チューブ状の絶縁部材を嵌挿して束ねるようにしてもよい。この後、使用電線１２ａ’から分離された不使用電線１２ｂ’は、使用電線１２ａ’の外周に被せた絶縁部材１９ａの外面上に、切断された先端部が位置するようにして使用電線１２ａ’に添わせる。
【００２４】
次いで、図２（Ｃ）に示すように、テープ状の絶縁部材１９ａで束ねられた複数本の使用電線１２ａ’と、これに添う不使用電線１２ｂ’とを、テープ状の絶縁部材１９ｂで巻付けて一体化する。なお、テープ状の絶縁部材１９ａと１９ｂは同じ材料で、テープ状の絶縁部材１９ｂは、テープ状の絶縁部材１９ａの延長部分で連続するようにしてもよく、異なる材料で別々のものとしてもよい。
なお、テープ状の絶縁部材１９ａ，１９ｂは、使用電線１２ａ’，１２ｂ’を屈曲させた状態でそれぞれ巻付けてもよいが、信号線１２がケーブル外被１４からストレートに延びた屈曲されていない状態で絶縁テープ１９ａ，１９ｂをそれぞれ巻付けて一体化した後に、全体を直交するように屈曲してもよい。
【００２５】
上記のように、ケーブル外被１４の除去際１４ａからコネクタ端子１７までの距離が長くなるような場合は、不使用電線１２ｂ’のコネクタハウジング内への突き出し量を比較的に長くし、使用電線１２ａ’と不使用電線１２ｂ’とを束ねて一体化することにより、不使用電線１２ｂ’が使用電線１２ａ’に対して移動しないように抑制する。そして、使用電線１２ａ’の外周に絶縁部材１９ａを配して、不使用電線１２ｂ’の先端部が直接接触しないようにすることにより、電気的絶縁不良の発生を防止することができる。
【符号の説明】
【００２６】
１１…多心ケーブル、１２…信号線、１２ａ，１２ａ’…使用電線、１２ｂ，１２ｂ’…不使用電線、１３…シールド導体、１４…ケーブル外被、１４ａ…除去際、１５…クランプ部材、１６，１６’…コネクタ、１６ａ，１６ａ’…コネクタハウジング、１６ｂ，１６ｂ’…ケーブル導入部、１７…コネクタ端子、１８…チューブ状の絶縁部材、１９ａ，１９ｂ…テープ状の絶縁部材。
【図１】
2011165586.tif 000003
【図２】
2011165586.tif 000004
【図３】
2011165586.tif 000005